(57)【要約】【課題】空調機に装備される排水ポンプにおいて、電動モータの導電性の出力軸に水が触れないようにして安全性の高い排水ポンプを提供する。【解決手段】モータ１０と、モータ１０の出力軸１２に連結される回転羽根２００と、回転羽根２００を収容するポンプ室を有するケース本体５０と、ポンプ室５２の開口部を覆う蓋部材３０と、蓋部材３０とモータ１０の間に設けられる水切り板１５を有する。軸部２１０のモータ側１０の端部に外周溝２１２が設けられ、水切り板１５はこの溝２１２に密着状態で圧入されて組み付けられている。このため、ドレン水が導電性の出力軸１２に直接かかることはない。【選択図】図１
2009264317.tif 000002
【特許請求の範囲】
【請求項１】
ケース本体とその開口部を覆う蓋部材とで構成されるハウジングと、このハウジングの内部空間に収容される回転羽根と、この回転羽根を回転駆動するモータとを含み、前記ケース本体は、その下部にドレン水の吸込口を、その側部にドレン水の吐出口をそれぞれ備え、前記蓋部材と前記モータとの間に水切り板が配置される排水ポンプであって、
前記回転羽根には、前記モータの出力軸に連結される軸部が前記蓋部材から突出するように一体に形成されており、前記水切り板は前記軸部のモータ側端部に装着される
ことを特徴とする排水ポンプ。
【請求項２】
前記水切り板は、前記軸部のモータ側端部に形成された外周溝に装着されることを特徴とする請求項１に記載の排水ポンプ。
【請求項３】
前記軸部のモータ側端部には前記水切り板の装着を容易にするテーパ部が設けられることを特徴とする請求項１または２に記載の排水ポンプ。
【請求項４】
ケース本体とその開口部を覆う蓋部材とで構成されるハウジングと、このハウジングの内部空間に収容される回転羽根と、この回転羽根を回転駆動するモータとを含み、前記ケース本体は、その下部にドレン水の吸込口を、その側部にドレン水の吐出口をそれぞれ備え、前記蓋部材と前記モータとの間に水切り板が配置される排水ポンプであって、
前記回転羽根には、前記モータの出力軸に連結される軸部が前記蓋部材から突出するように一体に形成され、水切り板は前記軸部のモータ側端部に一体に形成される
ことを特徴とする排水ポンプ。
【請求項５】
前記蓋部材は、半円状に２分割されることを特徴とする請求項４記載の排水ポンプ。
【請求項６】
ケース本体とその開口部を覆う蓋部材とで構成されるハウジングと、このハウジングの内部空間に収容される回転羽根と、この回転羽根を回転駆動するモータとを含み、前記ケース本体は、その下部にドレン水の吸込口を、その側部にドレン水の吐出口をそれぞれ備え、前記蓋部材と前記モータとの間に水切り板が配置される排水ポンプであって、
前記回転羽根には、前記モータの出力軸に連結される軸部が前記蓋部材から突出するように一体に形成されており、前記水切り板は前記モータの出力軸を貫通させて前記軸部のモータ側端部に接着剤を一周させて接着される
ことを特徴とする排水ポンプ。
【請求項７】
前記接着剤は、前記軸部のモータ側端部と前記水切り板の間の隙間を埋めるように入り込んでいることを特徴とする請求項６記載の排水ポンプ。
【発明の詳細な説明】
【技術分野】
【０００１】
本発明は、空調機に装備される排水ポンプに関する。
【背景技術】
【０００２】
空調機の室内ユニットは、冷房運転時に熱交換器に空気中の水分が凝縮して付着し、これがドレン水として熱交換器の下方に設けられるドレンパン内に滴下する。このドレンパン内に溜ったドレン水を排水するために排水ポンプが用いられる。この排水ポンプは、下部に吸込口を形成し、上部を開口すると共に、側方に吐出口を設けたポンプ本体ケースを含むハウジング内に回転羽根を回転自在に設け、この回転羽根をハウジングの開口の上部にカバーを介して固定したモータにより回転させている。そのモータの駆動軸は、カバーに形成された貫通穴を回転自在に貫通して羽根のシャフト部に連結され、モータを駆動して回転羽根が回転すると、ドレンパン内に貯溜したドレン水は、吸込口の下端から吸込まれ、遠心力により揚水され、吐出口から外部に吐出される。
【０００３】
図５は、従来の排水ポンプの説明図である。全体を符号１で示す排水ポンプは、電動モータ１０を有し、電動モータ１０は、リード線１１を介して給電される。電動モータ１０は、ブラケット２０により支持され、ブラケット２０の下端部は、ケース本体５０の上部に取付けられる蓋部材３０に連結される。ケース本体５０と蓋部材３０とによって排水ポンプのハウジングが構成される。
【０００４】
ケース本体５０は、プラスチックでつくられ、内部にポンプ室５２が形成される。ケース本体５０には、ポンプ室５２に連通される吸込口６０と吐出口７０が一体に形成される。
ポンプ室５２内には、回転羽根１００が配設され、ポンプ室５２の開口部は蓋部材３０で覆われる。ケース本体５０と蓋部材３０の間にはシール部材４０が挿入され、ポンプ室からのドレン水の漏水が防止される。回転羽根１００は軸部１１０を有し、軸部１１０の有底穴に電動モータ１０の出力軸１２が挿入される。軸部１１０から放射方向に延びる板状の大径羽根１２０を有し、大径羽根１２０は、連結部１３０を介して小径羽根１４０に接続される。吸込口からのドレン水が小径羽根１４０、連結部１３０を介して大径羽根１２０側へ送られる。
【０００５】
水切り板１４は、板状で円形であり中央部に孔を有し、出力軸１２に圧入されている。水切り板１４により蓋部材３０の貫通穴３６から噴出するドレン水（特に戻り水）がモータ１０側へ飛散するのを防止する。
【特許文献１】特開平９−５３５９１号公報
【発明の開示】
【発明が解決しようとする課題】
【０００６】
しかし、図５の構成では、水切り板１４は、出力軸１２に圧入されているだけであるので、図６に示すように水切り板１４と軸部１１０の端部１１１との間には隙間ができ、水が金属の出力軸１２に触れてしまう。このように飛散水が排水ポンプの帯電した出力軸１２に触れることは、漏電の可能性や電動モータ１０の作動不良の原因になるなど、好ましいことではない。なお、基礎絶縁の破壊によって帯電し得る出力軸１２は安全規格状において充電部として取り扱われ、ＩＥＣ６０３３５−１やＪＩＳ  Ｃ  ９３３５−１には「通常の使用で接触可能となっている又は可能性のある導電性液体は充電部と直接接触してはならない」と規定されており、この規格に適合するように対策を施す必要がある。
【０００７】
本発明は、上記課題に鑑みて、空調機に装備される排水ポンプにおいて、電動モータの金属製出力軸に水が直接触れないようにして安全性を高めた排水ポンプを提供することを目的とする。
【課題を解決するための手段】
【０００８】
上記目的を達成するため、本発明の排水ポンプは、ケース本体とその開口部を覆う蓋部材とで構成されるハウジングと、このハウジングの内部空間に収容される回転羽根と、この回転羽根を回転駆動するモータとを含み、前記ケース本体は、その下部にドレン水の吸込口を、その側部にドレン水の吐出口をそれぞれ備え、前記蓋部材と前記モータとの間に水切り板が配置される排水ポンプであって、前記回転羽根には、前記モータの出力軸に連結される軸部が前記蓋部材から突出するように一体に形成されており、前記水切り板は前記軸部のモータ側端部に装着されることを特徴とする。
さらに、本発明の排水ポンプは、前記水切り板は前記軸部のモータ側端部に形成された外周溝に装着され、また、前記軸部のモータ側端部には前記水切り板の装着を容易にするテーパ部が設けられることを特徴とする。
【０００９】
また、本発明の排水ポンプは、ケース本体とその開口部を覆う蓋部材とで構成されるハウジングと、このハウジングの内部空間に収容される回転羽根と、この回転羽根を回転駆動するモータとを含み、前記ケース本体は、その下部にドレン水の吸込口を、その側部にドレン水の吐出口をそれぞれ備え、前記蓋部材と前記モータとの間に水切り板が配置される排水ポンプであって、前記回転羽根には、前記モータの出力軸に連結される軸部が前記蓋部材から突出するように一体に形成され、水切り板は前記軸部のモータ側端部に一体に形成されることを特徴とする。
かかる構成を有する本発明の排水ポンプにおいては、前記蓋部材は半円状に２分割される。
【００１０】
また、本発明の排水ポンプは、ケース本体とその開口部を覆う蓋部材とで構成されるハウジングと、このハウジングの内部空間に収容される回転羽根と、この回転羽根を回転駆動するモータとを含み、前記ケース本体は、その下部にドレン水の吸込口を、その側部にドレン水の吐出口をそれぞれ備え、前記蓋部材と前記モータとの間に水切り板が配置される排水ポンプであって、前記回転羽根には、前記モータの出力軸に連結される軸部が前記蓋部材から突出するように一体に形成されており、前記水切り板は前記モータの出力軸を貫通させて前記軸部のモータ側端部に接着剤を一周させて接着されることを特徴とする。
この場合、前記接着剤は、前記軸部のモータ側端部と前記水切り板の間の隙間を埋めるように入り込む。
【発明の効果】
【００１１】
本発明の排水ポンプによれば、電動モータの金属製出力軸に水が触れることがなく、安全性が高まる。
【発明を実施するための最良の形態】
【００１２】
以下、本発明を実施するための最良の形態を説明する。
【実施例１】
【００１３】
図１は、実施例１の排水ポンプの説明図である。図２は、実施例１の排水ポンプの要部拡大図である。実施例１においては、図５、６で説明した従来の排水ポンプと同一の箇所は同一の符号を付し、図５、６で説明した従来の排水ポンプと異なる箇所について説明する。
【００１４】
回転羽根２００は軸部２１０を有し、軸部２１０の有底穴２１３に電動モータ１０の金属製出力軸１２が挿入される。軸部２１０のモータ側端部にはその全周に外周溝２１２を有し、さらにその電動モータ１０側の先端はテーパ部２１１を有している。一方、非導電性の樹脂等にて形成される水切り板１５は、板状で円形であり中央部に孔を有し、この孔が軸部２１０の外周溝２１２に圧入されている。
【００１５】
次に、水切り板１５の組み付け方法について述べる。水切り板１５は、少なくとも蓋部材３０の貫通穴３６に軸部２１０を通した状態で、軸部２１０の上部から水切り板１５を圧入する。このとき、テーパ部２１１により圧入し易くなる。そして、圧入により溝部２１２に水切り板１５の中央部に有する孔が入り込み、組み付けがなされる。水切り板１５を外周溝２１２に組み付けた状態においても圧入寸法となっており、軸部２１０と水切り板１５とは確実に密着状態で装着されている。その後に、軸部２１０の有底穴２１３に電動モータ１０の出力軸１２が挿入される。ケース本体５０は、軸部２１０に出力軸１２を挿入してから組み付けても、挿入前に組み付けてもよい。
【００１６】
次に、水切り板１５の作用について述べる。図２の矢印で示されるように、戻り水（ドレン水）は、蓋部材３０の貫通穴３６を通って、水切り板１５に当たる。このとき水切り板１５によって、電動モータ１０へは、水は飛散しない。一方、水切り板１５は、外周溝２１２に密着状態で圧入されている構成であるので、水は導電性の金属出力軸１２に直接かかることはなく漏電等の危険が回避できる。
【実施例２】
【００１７】
図３は、実施例２の排水ポンプの要部拡大図である。実施例２においては、図５、６で説明した従来の排水ポンプと同一の箇所は同一の符号を付し、図５、６で説明した従来の排水ポンプと異なる箇所について説明する。
【００１８】
回転羽根３００は軸部３１０を有し、軸部３１０の有底穴３１３に電動モータ１０の金属出力軸１２が挿入される。軸部３１０の電動モータ１０側の端部には、円形の水切り板３１０ａが軸部３１０と一体に成形されている。これらの材質は非導電性の樹脂等により形成される。これにより、水切り板３１０ａと軸部３１０の間は隙間が存在せずに形成されることになる。そして、実施例２においては、蓋部材３０’は、半円状に２分割される構成となっている。これにより、水切り板３１０ａと一体に成形された軸部３１０でも蓋部材３０’を取り付けることが可能となる。
【００１９】
次に、水切り板３１０ａの作用について述べる。戻り水（ドレン水）は、蓋部材３０の貫通穴３６を通って、水切り板３１０ａに当たる。水切り板３１０ａは、軸部３１０と一体に成形されているため、水は金属の出力軸１２に直接かかることはなく漏電等の危険が回避できる。
【実施例３】
【００２０】
図４は、実施例３の排水ポンプの要部拡大図である。実施例３においては、図５、６で説明した従来の排水ポンプと同一の箇所は同一の符号を付し、図５、６で説明した従来の排水ポンプと異なる箇所について説明する。
【００２１】
図５、６で説明した従来の排水ポンプと異なる点は、水切り板１４と軸部１１０の端部１１１が非導電性の接着剤４１０で接着されている点である。水切り板１４は、円形であり中央部に孔を有し、この孔に出力軸１２が通るようになっている。接着剤により、軸部１１０の端部の外周と水切り板１４の下面を一周して接着されている。
【００２２】
さらに具体的には、図４の右側の拡大図に示されているように、水切り板１４と軸部１１０の端部１１１の間に隙間にも接着剤の一部４１１が入り込み、出力軸１２を取り囲むように被覆して確実な接着をしている。
【００２３】
戻り水（ドレン水）は、蓋部材３０の貫通穴３６を通って、水切り板１４に当たる。このとき水切り板１４によって、電動モータ１０へは、水は飛散しない。一方、水切り板１４は、軸部１１０の端部の外周と全周にわたって接着剤４１０にて接着されているために、水は水切り板１４と軸部１１０の端部１１１の間に入り込まず、金属の出力軸１２に直接かかることはなく、漏電等の危険が回避できる。実施例３の構成では、図５、６で説明した従来の排水ポンプの水切り板１４と回転羽根１００の部品をそのまま使えるメリットを有する。
【００２４】
以上実施例１〜３に示したように、回転羽根の軸部に水切り板を直接に装着乃至は結合させる構成とすることで、飛散水がモータの出力軸に触れることがなく、漏電等の危険が回避できる。
【図面の簡単な説明】
【００２５】
【図１】実施例１の排水ポンプの説明図である。
【図２】実施例１の排水ポンプの要部拡大図である。
【図３】実施例２の排水ポンプの要部拡大図である。
【図４】実施例３の排水ポンプの要部拡大図である。
【図５】従来の排水ポンプの説明図である。
【図６】従来の水切り板の説明図である。
【符号の説明】
【００２６】
１０      電動モータ
１２      出力軸
１４、１５、３１０ａ    水切り板
３０      蓋部材
５０      ケース本体
１００    回転羽根
１１０、２１０、３１０    軸部
２１２    溝部
４１０    接着剤
【図１】
2009264317.tif 000003
【図２】
2009264317.tif 000004
【図３】
2009264317.tif 000005
【図４】
2009264317.tif 000006
【図５】
2009264317.tif 000007
【図６】
2009264317.tif 000008